(57)【要約】【課題】周辺の太陽光を効果的に集光し、光エネルギの吸収効率を向上させるポータブル太陽電池充電装置を提供する。【解決手段】底座１０、収光レンズ１１、受光板１２および光電変換ユニット１３からなり、底座１０はケースで、その側面に相繋がった周囲面１００が設けられ、周囲面１００の内側に凹んだ複数の充電溝１０１が設けられ、収光レンズ１１は、底座１０の頂面に配置されている。受光板１２は、底座１０上で、収光レンズ１１の下方に配置されている。光電変換ユニット１３は、充電溝１０１と受光板１２との間を電気的に接続するように配置され、受光板１２が吸収した光エネルギを電気エネルギに変換し、各充電溝１０１に電気エネルギを供給する。【選択図】図１
0003148117.tif 000002
【実用新案登録請求の範囲】
【請求項１】
ケースで、その側面に相繋がった周囲面が設けられ、前記周囲面の内側に凹んだ複数の充電溝が設けられた底座と、
前記底座の頂面に配置された収光レンズと、
前記底座上で、前記収光レンズの下方に配置された受光板と、
前記充電溝と前記受光板との間を電気的に接続するように配置され、前記受光板が吸収した光エネルギを電気エネルギに変換し、前記各充電溝に電気エネルギを供給する光電変換ユニットと、
を備えることを特徴とするポータブル太陽電池充電装置。
【請求項２】
前記底座に相繋がった前記周囲面は、円形を呈していることを特徴とする請求項１に記載のポータブル太陽電池充電装置。
【請求項３】
前記底座に相繋がった前記周囲面は、多角形を呈していることを特徴とする請求項１に記載のポータブル太陽電池充電装置。
【請求項４】
前記多角形は、四角形であることを特徴とする請求項３に記載のポータブル太陽電池充電装置。
【請求項５】
前記複数の充電溝は、前記周囲面の異なる高さに配置されていることを特徴とする請求項１に記載のポータブル太陽電池充電装置。
【請求項６】
前記底座の頂面に開口が設けられ、前記開口の周縁に環頚部が凸設され、前記環頚部上に螺紋が設けられ、前記収光レンズが螺設により前記環頚部上に配置されていることを特徴とする請求項１に記載のポータブル太陽電池充電装置。
【請求項７】
前記受光板は、前記開口内に平らに配置されていることを特徴とする請求項６に記載のポータブル太陽電池充電装置。
【請求項８】
前記収光レンズは、凸面鏡であることを特徴とする請求項１に記載のポータブル太陽電池充電装置。
【請求項９】
前記受光板は、複数のソーラセルからなることを特徴とする請求項１に記載のポータブル太陽電池充電装置。
【請求項１０】
前記光電変換ユニットは、制御回路板、および前記制御回路板上に配置された蓄電器を含むことを特徴とする請求項１に記載のポータブル太陽電池充電装置。
【考案の詳細な説明】
【技術分野】
【０００１】
本考案は、電池充電装置に関し、特に、光エネルギにより電気が供給されるポータブル充電装置に関する。
【背景技術】
【０００２】
３Ｃ（Computer、Consumer Electronics 、Communication）電子機器の急速な普及により、携帯電話、電子辞書、ＭＰ３、ＰＤＡなどの製品が携帯可能になったが、電池の交換が必要条件であった。しかし、乾電池が環境に及ぼす悪影響を防ぐため、上記の製品には、繰り返し使用することができる充電式電池が用いられることが多かった。
【０００３】
充電式電池は、充電できるものの、出かける前に屋内で充電しなければ、屋外に携帯して用いることができなかった。電池の電力が消費されると、あらかじめ用意してあったスペア電池を用いるか、充電装置を用いて充電しなければならなかった。一般的に、スペア電池を用いるのが便利であるが、長距離旅行または海外旅行の場合、携帯するスペア電池の数量が頭を痛める問題であった。そのため、ポータブル充電器がユーザのニーズにマッチするものとして用いられるようになったが、充電器に用いられる電気の供給を容易にするため、光エネルギから変換された電気エネルギを用いた充電器が出現した。
【０００４】
光エネルギを用いた充電器は、ソーラパネルに光エネルギを直接吸収させるだけのものがほとんどで、光エネルギの吸収効率が低かった。また、単一規格または形式の充電器しか使用できず、異なる種類の携帯型の３Ｃ電子機器に用いられる複数の電池に同時に対応することができなかった。そのため、同時に数種類の充電器の携帯が必要になり、甚だ不便であった。
【特許文献１】特開平１１−１０３３３６号公報
【考案の開示】
【考案が解決しようとする課題】
【０００５】
本考案は、上記の従来の問題点に鑑みてなされたもので、前述の問題点を解消するポータブル太陽電池充電装置を提供することにある。  
【０００６】
本考案の第１の目的は、周辺の太陽光を効果的に集光し、光エネルギの吸収効率を向上させるポータブル太陽電池充電装置を提供することにある。
本考案の第２の目的は、複数の充電溝により、異なる規格または形式の充電式電池に対応するポータブル太陽電池充電装置を提供することにある。
【０００７】
上述の目的を達成するため、本考案はポータブル太陽電池充電装置を提供するもので、本考案のポータブル太陽電池充電装置は、底座、収光レンズ、受光板および光電変換ユニットを含む。底座は、ケースで、その側面に相繋がった周囲面が設けられ、周囲面の内側に凹んだ複数の充電溝が設けられている。収光レンズは、底座の頂面に配置されている。受光板は、底座上で、収光レンズの下方に配置されている。光電変換ユニットは、充電溝と受光板との間を電気的に接続するように配置され、受光板が吸収した光エネルギを電気エネルギに変換し、各充電溝に電気エネルギを供給する。
【考案の効果】
【０００８】
本考案のポータブル太陽電池充電装置は、周辺の太陽光を効果的に集光し、光エネルギの吸収効率を向上させることができる。また、充電式電池を収納する複数の充電溝により、異なる規格または形式の充電式電池に対応することができる。外出において、複数の充電器を携帯する必要がないため、ポータブル電子機器に給電問題を解決することができる。
【考案を実施するための最良の形態】
【０００９】
以下、本考案の実施形態を図面に基づいて説明する。
図１および図２を参照して説明する。
図１は、本考案の一実施形態によるポータブル太陽電池充電装置を示す分解斜視図である。図２は、本考案の一実施形態によるポータブル太陽電池充電装置を示す斜視図である。図１および図２に示すように、本考案のポータブル太陽電池充電装置１は、底座１０、収光レンズ１１、受光板１２および光電変換ユニット１３を含む。
【００１０】
底座１０は、内部が中空を呈したケースで、上記の各部品が配置された、携帯可能な充電座である。底座１０の横方向の断面は、円形または多角形を呈しても良い。本実施形態においては、四角形を呈しており、その側面に相繋がった４つの周囲面１００が設けられている。各周囲面１００には、充電式電池を収納する内側に凹んだ充電溝１０１が設けられ、異なる周囲面１００上の充電溝１０１は、異なる高さに配置されている。これにより、底座１０の内部空間が有効に利用され、空間を占めずに、多くの充電溝１０１を配置することができる。
【００１１】
収光レンズ１１は、円形を呈した凸面鏡で、底座１０の頂面に配置されている。円形の凸面鏡を介して周囲の太陽光を収光し、光エネルギを集中させる。本実施形態においては、底座１０の頂面に収光レンズ１１の位置に対応する開口１０２が設けられ、開口１０２の周縁に環頚部１０３が凸設されている。環頚部１０３上には、螺紋１０４が設けられ、収光レンズ１１が螺設により環頚部１０３上に配置されている。
【００１２】
受光板１２は、複数のソーラセル１２０からなり、底座１０上に配置されている。また、受光板１２は、収光レンズ１１が集光した太陽光を受取るために、収光レンズ１１の下方に配置されている。本実施形態においては、受光板１２は、底座１０の開口１０２内に平らに配置されているため、収光レンズ１１の下方にちょうど位置することができ、収光レンズ１１に蓋をされるようにその内部に配置される。
【００１３】
光電変換ユニット１３は、制御回路板１３０、および制御回路板１３０上に配置された蓄電器１３１を含む。光電変換ユニット１３は、底座１０内に配置され、充電溝１０１と受光板１２との間を電気的に接続するように配置されている。これにより、受光板１２が吸収した光エネルギが電気エネルギに変換され、各充電溝１０１に電気エネルギが供給される。電気エネルギの入力により、各充電溝１０１内の充電式電池２（図３参照）に充電が行なわれる。
【００１４】
図３および図４を参照して説明する。
図３は、電池充電装置に充電式電池が挿入される前の状態を示す斜視図である。図４は、電池充電装置に充電式電池が挿入された状態を示す斜視図である。図３および図４に示すように、電池充電装置１の受光板１２上に収光レンズ１１が配置されているため、周囲の太陽光が収光レンズ１１を通過して受光板１２上に集光される。これにより、周辺の太陽光を効果的に集光し、光エネルギの吸収効率を向上させることができる。また、電池充電装置１の底座１０の４つの周囲面１００に充電溝１０１が設けられ、充電溝１０１が異なる高さの位置にそれぞれ設けられることにより、空間を占めずに、底座１０内部の空間が有効に利用される。特に、複数の充電溝１０１を持つことにより、異なる規格または形式の充電式電池２、２´に対応することができる（図５参照）。
【００１５】
図６を参照して説明する。
図６は、本考案のもう１つの実施形態によるポータブル太陽電池充電装置を示す斜視図である。図６に示すように、電池充電装置１の底座１０の各周囲面１００上には、複数の充電溝１０１をさらに増設することができる。充電溝１０１の配置数量は、状況により決定される。
【００１６】
以上のように、本考案のポータブル太陽電池充電装置の実施例は、周辺の太陽光を効果的に集光し、光エネルギの吸収効率を向上させることができ、また、複数の充電溝により、異なる規格または形式の複数の充電式電池を収納するよう対応することができる。したがって、外出において、複数の充電器を携帯する必要がなくなる。
なお、本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。
【図面の簡単な説明】
【００１７】
【図１】本考案の一実施形態によるポータブル太陽電池充電装置を示す分解斜視図である。
【図２】本考案の一実施形態によるポータブル太陽電池充電装置を示す斜視図である。
【図３】電池充電装置に充電式電池が挿入される前の状態を示す斜視図である。
【図４】電池充電装置に充電式電池が挿入された状態を示す斜視図である。
【図５】電池充電装置に２つの充電式電池が同時に挿入された状態を示す斜視図である。
【図６】本考案のもう１つの実施形態によるポータブル太陽電池充電装置を示す斜視図である。
【符号の説明】
【００１８】
１  電池充電装置
２  充電式電池
２´  充電式電池
１０  底座
１１  収光レンズ
１２  受光板
１３  光電変換ユニット
１００  周囲面
１０１  充電溝  
１０２  開口
１０３  環頚部
１０４  螺紋
１２０  ソーラセル
１３０  制御回路板
１３１  蓄電器
【図１】
0003148117.tif 000003
【図２】
0003148117.tif 000004
【図３】
0003148117.tif 000005
【図４】
0003148117.tif 000006
【図５】
0003148117.tif 000007
【図６】
0003148117.tif 000008